(57)【要約】【課題】電動モータと吸塵機構を内装し、充電式のバッテリパックを電源として取り付け可能な本体部に、延長パイプを経てノズルヘッドを取り付け可能なハンディクリーナにおいて、従来ノズルヘッドを床面に設置させ、本体部を壁面に当接させて立て掛ける場合には、立て掛け状態が安定しない問題があった。本発明は、この種のハンディクリーナを壁面に安定した状態で立て掛けておくことができるようにする。【解決手段】本体部１０の後面上部に壁面Ｗに対する摩擦抵抗を高める滑り止め部５を設ける。また、ノズルヘッド３０の首振り支持部３３に左右方向への首振りを規制するための首振り規制部２１を設ける。これにより本体部１０の左右方向への変位が規制されることから、ハンディクリーナ１を壁面Ｗに安定した状態で立て掛けておくことができる。【選択図】図１
2016039858.tif 000002
【特許請求の範囲】
【請求項１】
充電可能なバッテリパックを取り付けるためのバッテリ取り付け凹み部と、使用者が把持するハンドル部と、電動モータにより回転する吸塵ファンを有する本体部と、該本体部の前部に設けた接続口に接続された延長パイプと、該延長パイプの先端に接続されたノズルヘッドを備えたハンディクリーナであって、
前記ノズルヘッドを床面に設置させ、前記本体部を壁面に当接させて立て掛けた状態において、前記本体部の前記壁面に対する当接部位に滑り止め部を設けたハンディクリーナ。
【請求項２】
請求項１記載のハンディクリーナであって、前記本体部は、前記バッテリパックを取り付けるためのバッテリ取り付け凹み部を開閉するバッテリカバーを備えており、該バッテリカバーに前記滑り止め部を設けたハンディクリーナ。
【請求項３】
請求項１記載のハンディクリーナであって、前記バッテリ取り付け凹み部に取り付けたバッテリパックに前記滑り止め部を設けたハンディクリーナ。
【請求項４】
請求項１〜３の何れか１項に記載したハンディクリーナであって、前記ノズルヘッドは、前記延長パイプに上下及び左右に首振り可能に接続されており、
前記ノズルヘッドの首振り支持部に、当該延長パイプを上方に起立させると前記ノズルヘッドの左右方向への首振り動作を規制する首振り規制部を設けたハンディクリーナ。
【請求項５】
請求項４記載のハンディクリーナであって、前記首振り規制部は、前記首振り支持部の支持側と被支持側の一方に設けた係合凹部に、他方に設けた係合凸部を進入させて、前記ノズルヘッドの左右方向への首振り動作を規制する構成としたハンディクリーナ。
【請求項６】
請求項１〜５の何れか１項に記載したハンディクリーナであって、前記ノズルヘッドの吸い込み口に起毛処理部を設けたハンディクリーナ。
【請求項７】
請求項６記載のハンディクリーナであって、前記ノズルヘッドは、進行方向左右に対して延びる吸塵口を備えており、該吸塵口の進行方向前側及び後ろ側に沿って前記起毛処理部を設けたハンディクリーナ。
【請求項８】
請求項６又は７記載のハンディクリーナであって、前記ノズルヘッドは半割り構造のヘッドハウジングを有しており、前記起毛処理部は、その端部を前記ノズルヘッドの半割りハウジングに挟み込んで固定したハンディクリーナ。
【請求項９】
請求項６〜８の何れか１項に記載したハンディクリーナであって、前記ノズルヘッドは、床面上を転動させるためのローラを備えており、該ローラを前記床面上に設置させた状態では前記起毛処理部と床面との間に隙間が発生するハンディクリーナ。
【請求項１０】
ハンドル部とバッテリ保持部と吸気口と排気口とを有する本体ハウジングと、該本体ハウジングの下面にエラストマを一体的に形成したハンディクリーナ。
【請求項１１】
ハンドル部とバッテリ収容部と吸気口と排気口とを有する本体ハウジングと、前記バッテリ収容部を覆う蓋部とを有し、前記蓋部に弾性体を配置したハンディクリーナ。
【発明の詳細な説明】
【技術分野】
【０００１】
本発明は、充電可能なバッテリパック（二次電池）を電源とするコードレスタイプのハンディクリーナ（掃除機）に関する。
【背景技術】
【０００２】
例えば家庭用の掃除機には、電動モータを駆動源として回転する吸塵ファンを内装し、左右にキャスタ（車輪）を備えた本体部と、使用者が移動操作するノズルヘッドとをフレキシブルな吸塵ホースで接続した形態（本体分離型）のものが主として用いられている。この本体分離型の掃除機に加えて、本体部とノズルヘッドが一体として取り扱われる比較的小型軽量でハンディクリーナと称されるノズル一体型の掃除機も広く普及している。
【０００３】
前者の本体分離型の掃除機に関する従来の技術が下記の特許文献１に開示されている。後者のノズル一体型のハンディクリーナに関する従来の技術が下記の特許文献２に開示されている。後者のハンディクリーナは、本体部に使用者が把持するハンドルを備えている。このハンディクリーナの場合、本体部の前部に設けた吸塵口に延長パイプを接続し、この延長パイプの先端に専用のノズルヘッド（床ブラシ）を取り付けて用いる場合のほか、延長パイプとノズルヘッドを本体部の吸塵口から取り外して吸塵口を掃除する部位に向けて直接粉塵等を吸塵する形態でも用いることができる。
【０００４】
また、特許文献２に開示されているように、通常ハンディクリーナは、本体部に内装若しくは取り付けた充電式のバッテリパックを電源とするコードレスクリーナとなっている。コードレスクリーナの場合、電源コードをＡＣ１００Ｖコンセントに接続する必要がないことから、自動車や列車の車内清掃にも広く用いられている。
【先行技術文献】
【特許文献】
【０００５】
【特許文献１】特開２００３−１１１６９５号公報
【特許文献２】特開２０１４−３６７５０号公報
【発明の概要】
【発明が解決しようとする課題】
【０００６】
このような比較的小型軽量で使い勝手のよいハンディクリーナにもさらに改善すべき点があった。従来のハンディクリーナは、使用しない場合に、本体部に延長パイプとノズルヘッドを取り付けた状態のままでは、ノズルヘッドを床面に設置させて自立させることができず、また例えば壁に安定した状態で立て掛けておくことも困難であるため、やむを得ず床面上に倒しておくか、専用のスタンドを用意する等して保管していた。このように従来の掃除機は、保管の点で取り扱いが不便であった。
【０００７】
本発明は、例えば専用のスタンド等を用いることなく、掃除機を例えば壁に安定した状態で立て掛けておくことができるようにすることを目的とする。
【課題を解決するための手段】
【０００８】
上記した課題は、以下の各発明によって解決される。第１の発明は、充電可能なバッテリパックを取り付けるためのバッテリ取り付け凹み部と、使用者が把持するハンドル部と、電動モータにより回転する吸塵ファンを有する本体部と、本体部の前部に設けた接続口に接続された延長パイプと、延長パイプの先端に接続されたノズルヘッドを備えたハンディクリーナであって、ノズルヘッドを床面に設置させ、本体部を壁面に当接させて立て掛けた状態において、本体部の壁面に対する当接部位に滑り止め部を設けたハンディクリーナである。
【０００９】
第１の発明によれば、ノズルヘッドを床面に設置させ、本体部を壁面に当接させて立て掛けた仮置き状態において、滑り止め部により本体部の壁面に対する滑り止めがなされて当該本体部の壁面に沿った移動が規制され、これにより当該ハンディクリーナが壁面に対して立て掛けられた状態に保持される。このため、床面上に倒しておいたり、専用のスタンドを用意することなく、当該ハンディクリーナを壁に立て掛けた仮置き状態に保管しておくことができ、これにより当該ハンディクリーナの取り扱い性を高めることができる。滑り止め部としては、例えばエラストマゴム等の摩擦抵抗が大きなゴムシート等を貼り付けた構成とすることができる。
【００１０】
第２の発明は、第１の発明において、本体部は、バッテリパックを取り付けるためのバッテリ取り付け凹み部を開閉するバッテリカバーを備えており、このバッテリカバーに滑り止め部を設けたハンディクリーナである。第２の発明によれば、バッテリカバーに設けた滑り止め部が壁面に当接されて当該ハンディクリーナの立て掛け状態が保持される。
【００１１】
第３の発明は、第１の発明において、バッテリ取り付け凹み部に取り付けたバッテリパックに滑り止め部を設けたハンディクリーナである。第３の発明によれば、バッテリパックは露出した状態でバッテリ取り付け凹み部に取り付けられる。この点、上記第２の発明におけるバッテリパックはバッテリ取り付け凹み部内に取り付けられ、かつバッテリ取り付け凹み部がバッテリカバーで塞がれた状態で用いられる。第３の発明は、第２の発明とは異なって本体部に露出状態で取り付けられるバッテリパックに直接滑り止め部が設けられて、壁への立て掛け時における本体部の滑り止めがなされる。
【００１２】
第４の発明は、第１〜第３の何れか一つの発明において、ノズルヘッドは、延長パイプに上下及び左右に首振り可能に接続されており、ノズルヘッドの首振り支持部に、当該延長パイプを上方に起立させるとノズルヘッドの左右方向への首振り動作を規制する首振り規制部を設けたハンディクリーナである。第４の発明によれば、首振り規制部により、当該ハンディクリーナを壁に立て掛けた状態において、本体部の左右方向の変位が規制され、滑り止め部の滑り止め機能と相まって当該本体部の振動等による左右方向への変位が規制され、これにより当該ハンディクリーナの壁への立て掛け状態がより確実に保持される。
【００１３】
第５の発明は、第４の発明において、首振り規制部は、首振り支持部の支持側と被支持側の一方に設けた係合凹部に、他方に設けた係合凸部を進入させて、ノズルヘッドの左右方向への首振り動作を規制する構成としたハンディクリーナである。第５の発明によれば、ノズルヘッドを床面に設置させた状態で、本体部を上方へ変位させて延長パイプを起立させると、係合凹部に係合凸部が進入して、ノズルヘッドに対する延長パイプひいては本体部の左右方向への変位が規制された状態となる。このように簡単な構成であることから大きなコストアップを招くことなく本体部の壁面に沿った左右方向への変位を規制することができ、ひいては当該ハンディクリーナの壁への立て掛け状態がより確実に保持される。
【００１４】
第６の発明は、第１〜第５の何れか一つの発明において、ノズルヘッドの吸い込み口に起毛処理部（起毛処理が施された部位）を設けたハンディクリーナである。第６の発明によれば、例えば床面上に敷いた絨毯の掃除を行う際に、絨毯の例えば伏せ毛が起毛処理部で起こされて伏せ毛に絡まった埃がより効率よく吸塵される。このように起毛処理部により当該ハンディクリーナの吸塵能力を高めることができる。
【００１５】
第７の発明は、第６の発明において、ノズルヘッドは、進行方向左右に対して延びる吸塵口を備えており、吸塵口の進行方向前側及び後ろ側に沿って起毛処理部を設けたハンディクリーナである。第７の発明によれば、例えば絨毯のより広い範囲について伏せ毛を起こしつつ埃を効率よく吸塵することができる。
【００１６】
第８の発明は、第６又は第７の発明において、ノズルヘッドは半割り構造のヘッドハウジングを有しており、起毛処理部は、その端部をノズルヘッドの半割りハウジングに挟み込んで固定したハンディクリーナである。第８の発明によれば、ノズルヘッドに対する起毛処理部の取り付け構造の簡略化を図ることができる。
【００１７】
第９の発明は、第６〜第８の何れか一つの発明において、ノズルヘッドは、床面上を転動させるためのローラを備えており、該ローラを前記床面上に設置させた状態では起毛処理部と床面との間に隙間が発生するハンディクリーナである。第９の発明によれば、上記のように絨毯の掃除を行うのではなく、床面の掃除を行う場合には、起毛処理部は床面から浮いた状態となるため、ノズルヘッドを移動させる際における移動抵抗とはならず、従ってノズルヘッドを小さな操作力で楽に移動させることができ、これにより当該ハンディクリーナの取り扱い性を高めることができる。これに対して、ノズルヘッドを硬質の床面ではなく絨毯の上を移動させる場合には、ローラが絨毯上に沈みこんで起毛処理部が絨毯の上面に接触する状態となる。
【００１８】
第１０の発明は、ハンドル部とバッテリ保持部と吸気口と排気口とを有する本体ハウジングと、該本体ハウジングの下面にエラストマを一体的に形成したハンディクリーナである。第１０の発明によれば、当該ハンディクリーナを壁面に立て掛ける際にエラストマを壁面に当接させることにより  摩擦抵抗を高めて当該立て掛け状態を保持することができる。また、ハンディクリーナを床面上に平置きした場合に、エラストマに当該ハンディクリーナの床面に対する滑り止め機能を持たせることができる。また、エラストマの衝撃吸収機能により、当該ハンディクリーナの損傷を低減若しくはなくすことができる。
【００１９】
第１１の発明は、ハンドル部とバッテリ収容部と吸気口と排気口とを有する本体ハウジングと、前記バッテリ収容部を覆う蓋部とを有し、前記蓋部に弾性体を配置したハンディクリーナである。第１１の発明によれば、当該ハンディクリーナを壁面に立て掛ける際に弾性体を壁面に当接させることにより摩擦抵抗を高めて当該立て掛け状態を保持することができる。また、ハンディクリーナを床面上に平置きした場合に、弾性体に当該ハンディクリーナの床面に対する滑り止め機能を持たせることができる。また、弾性体の衝撃吸収機能により、当該ハンディクリーナの損傷を低減若しくはなくすことができる。
【図面の簡単な説明】
【００２０】
【図１】本実施形態に係るハンディクリーナの全体側面図である。本図は、壁に立て掛けた状態を示している。
【図２】本体部の上部の左側面図である。
【図３】本体部の上部を図２中矢印(III)方向から見た後面図である。
【図４】ノズルヘッドの斜視図である。本図は、延長パイプを起立位置に立てた状態を示している。
【図５】図４中(V)-(V)線断面矢視図であって、ノズルヘッドの縦断面図である。
【図６】ノズルヘッドの斜視図である。本図は、延長パイプを後方へ倒した状態を示している。
【図７】図６中(VII)-(VII)線断面矢視図であって、ノズルヘッドの縦断面図である。
【図８】ノズルヘッドの前面図である。
【図９】ノズルヘッドの斜視図である。本図は、ノズルヘッドを下面側斜め前方から見た状態を示している。
【図１０】ノズルヘッドの縦断面図である。本図は、絨毯によりリップ部が上方へ押し上げられて湾曲した状態を示している。
【発明を実施するための形態】
【００２１】
次に、本発明の実施形態を図１〜図１０に基づいて説明する。図１に示すように本実施形態のハンディクリーナ１は、駆動源としての電動モータ２を内装した本体部１０と、本体部１０の接続口１１に接続された延長パイプ２０と、延長パイプ２０の先端に接続されたノズルヘッド３０を備えている。図１に示すように本実施形態のハンディクリーナ１は、壁面Ｗに安定した状態で立て掛けておくことができる。以下の説明において、前後及び上下の各方向については、図１に示す立て掛け状態のハンディクリーナ１に向き合う使用者を基準にして用いる。図１においてハンディクリーナ１の右側に位置する使用者側が前側であり、壁面Ｗ側が後ろ側となる。一方、左右方向については、使用時の使用者を基準にして用いる。従って、図１ではハンディクリーナ１の右側面が見えている。なお、壁面Ｗへの立て掛け状態とは別に、本体部１０の後面を床面Ｆに沿わせた設置した平置き状態において前後及び上下の各方向を用いる。この場合には、平置き状態における方向であることを明記している。従って特に断らない限り、上下左右及び前後方向については壁面Ｗへの立て掛け状態である場合について言うこととする。
【００２２】
本体部１０は、上部にループ形のハンドル部１２を一体に備えた本体ハウジング１３を有している。本体ハウジング１３の上部寄りに電動モータ２が内装され、その下部側に吸塵ファン３が内装されている。吸塵ファン３の下面側にダストパック４が装着されている。本体ハウジング１３の下端部に接続口１１が下方へ突き出す状態に設けられている。
【００２３】
ハンドル部１２の前面には、使用者が指先で押し操作する起動／停止ボタン１２ａと強弱切り替えボタン１２ｂと照明１２ｃが設けられている。起動／停止ボタン１２ａを押し操作すると、電動モータ２が起動して吸塵ファン３が回転する。吸塵ファン３が回転すると、接続口１１を経て埃等がダストパック４内に吸塵される。起動／停止ボタン１２ａを再度押し操作すると、電動モータ２が停止して吸塵ファン３が停止する。強弱切り替えボタン１２ｂを押し操作すると、電動モータ２の回転数が変化して吸塵力を強弱二段階で切り換えることができる。照明１２ｃは、電動モータ２の起動、停止に連動して点灯、消灯される。
【００２４】
ハンドル部１２の後部（平置き状態では下方）には、バッテリ取り付け凹み部１５が設けられている。このバッテリ取り付け凹み部１５内には、充電式のバッテリパック１９が収容されている。本実施形態のハンディクリーナ１は、バッテリパック１９をバッテリ取り付け凹み部１５に収容した状態のまま、図示省略した充電用アダプタを接続して充電することができる。バッテリ取り付け凹み部１５は、バッテリカバー１６により開閉される。バッテリカバー１６は、図１において上側（平置き状態で後方）へスライドさせることにより、バッテリ取り付け凹み部１５から取り外すことができる。バッテリカバー１６を取り外すと、バッテリ取り付け凹み部１５が上方へ向けて開放されて、収容したバッテリパック１９を交換のために取り出すことができる。
【００２５】
図１に示すように本体部１０の後面（平置き状態で下面）には、エラストマゴム製の突起１７が設けられている。突起１７は、本体部１０の長手方向（上下方向）の下側と中程と上部においてそれぞれ左右一対に設けられている。合計６箇所の突起１７は、本体部１０を床面Ｆに平置き（長手方向を床面Ｆに沿わせて設置）した場合に床面Ｆに接地して脚部として機能する。なお、この突起１７は、樹脂製の本体ハウジング１３に一体に成形されて配置されている。
【００２６】
合計６箇所の突起１７のうち、上部側の左右一対の突起１７は、図１に示すように当該ハンディクリーナ１を壁面Ｗに立て掛けた状態では壁面Ｗに当接される。図２及び図３に示すように上部側の左右の一対の突起１７は、バッテリカバー１６の後面に設けられている。以下、この上部側の左右一対の突起１７を特に滑り止め部５と言う。左右の滑り止め部５は、バッテリカバー１６から後方（平置き状態で下方）に向けて突き出している。当該ハンディクリーナ１の壁掛け状態において、この左右一対の滑り止め部５が壁面Ｗに当接されて摩擦抵抗が高まることにより本体部１０の主として左右方向（壁掛け状態における倒れ方向）への変位が規制される。
【００２７】
本体ハウジング１３の左右側部には、吸塵風若しくはモータ冷却風の排気口１８が設けられている。また、本体ハウジング１３の前面には、ダストパック４を交換する際に開閉する蓋部１４が設けられている。
【００２８】
本体部１０の接続口１１には、延長パイプ２０を介してノズルヘッド３０が接続されている。延長パイプ２０は、その上部側を接続口１１に対して挿入、抜き出しすることにより本体部１０に取り付け、取り外しすることができる。図４〜図７に示すように延長パイプ２０の下部側は、ノズルヘッド３０の接続管部３１に接続されている。
【００２９】
ノズルヘッド３０は、接続管部３１と上下半割り構造のヘッドハウジング３２を備えている。接続管部３１は、ヘッドハウジング３２の後部に、首振り支持部３３を介して上下左右方向及び斜め方向に一定の角度範囲で首振り可能に支持されている。接続管部３１の下部に一体に設けた球体形の傾斜支持部３１ａと、ヘッドハウジング３２の上ハウジング３２ａと下ハウジング３２ｂとの間に設けた同じく球体形の支持凹部３３ａにより首振り支持部３３が構成されている。図９に示すようにヘッドハウジング３２の上ハウジング３２ａと下ハウジング３２ｂは、４本の固定ねじ３９で相互に一体に結合されている。
【００３０】
支持凹部３３ａ内に傾斜支持部３１ａを相対移動可能に嵌め込んで、接続管部３１がヘッドハウジング３２の後部側に首振り可能かつ離脱不能な状態で支持されている。傾斜支持部３１ａの周面には、ゴムリング３１ｂが巻き付け状態で取り付けられている。このゴムリング３１ｂが支持凹部３３ａの内周面に接触することにより、当該傾斜支持部３１ａの支持凹部３３ａ内における変位に適度な摩擦抵抗が与えられて、がたつきが低減されるとともに接続管部３１の首振り位置について適度な保持力が持たせられている。接続管部３１の下端部は、全ての首振り角度範囲でヘッドハウジング３２内に開口される。
【００３１】
接続管部３１を介してノズルヘッド３０に接続された延長パイプ２０は、ノズルヘッド３０に対して上下及び左右に一定の角度範囲で傾動可能に接続されている。首振り支持部３３には、ノズルヘッド３０の左右方向への首振り動作を規制する首振り規制部２１が設けられている。本実施形態の場合、首振り支持部３３の支持側に相当する接続管部３１に設けた係合凸部２１ａと、首振り支持部３３の被支持側に相当するヘッドハウジング３２に設けた係合凹部２１ｂにより首振り規制部２１が構成されている。係合凸部２１ａは、傾斜支持部３１ａの上面に設けられている。係合凸部２１ａは、平面的に見て矩形の平板形状を有している。係合凹部２１ｂは、ヘッドハウジング３２の支持凹部３３ａの上部に設けられている。係合凹部２１ｂは、係合凸部２１ａが進入、退出可能な凹部で、後ろ側に開口している。
【００３２】
図４，５に示すように延長パイプ２０をノズルヘッド３０の上方へほぼ垂直に起立した位置（約８０°〜９０°、起立位置）に移動させると、係合凸部２１ａが係合凹部２１ｂ内に進入した状態となる。係合凸部２１ａが係合凹部２１ｂ内に進入すると、延長パイプ２０の左右方向への傾動（首振り動作）が規制された状態となり、その結果ノズルヘッド３０に対する本体部１０の同方向への相対変位が規制された状態となる。
【００３３】
このため、図１に示すように、本体部１０の上部後面を壁面Ｗに当接させ、ノズルヘッド３０を床面Ｆに設置させて当該ハンディクリーナ１を壁面Ｗに立て掛けた状態とすると、延長パイプ２０が起立位置に移動して係合凸部２１ａが係合凹部２１ｂ内に進入することにより本体部１０の左右方向（図１において紙面に交差する方向）への変位が規制された状態となる。ノズルヘッド３０を床面Ｆに設置させた状態で本体部１０の左右方向（壁面Ｗに沿った方向）への変位が規制されることから、当該ハンディクリーナ１の立て掛け状態がより安定的に保持される。
【００３４】
図６，７に示すように延長パイプ２０を上記起立位置から後方へ倒すと、係合凸部２１ａが係合凹部２１ｂ内から退出して首振り規制部２１が解除された状態となる。係合凸部２１ａが係合凹部２１ｂから外れることにより、延長パイプ２０を左右方向へも傾動可能な状態となる。このため、使用者は壁面Ｗに立て掛けたハンディクリーナ１を壁面Ｗから離間させた後、本体部１０を下げて延長パイプ２０及び接続管部３１を後ろ側へ傾倒させて係合凹部２１ｂ内から係合凸部２１ａを退出させれば、延長パイプ２０及び本体部１０をノズルヘッド３０に対して左右に変位可能となり、従ってノズルヘッド３０を本体部１０に対して左右に首振り可能な状態とすることができる。こうしてノズルヘッド３０を左右に首振り可能な状態とすることにより、本体部１０を左右に移動させつつノズルヘッド３０を床面Ｆ上を前進又は後退させることにより清掃作業を効率よく行うことができる。
【００３５】
ノズルヘッド３０の前部及び左右側部には、弾性ゴム製のバンパ３８が取り付けられている。図５に示すようにバンパ３８は、上ハウジング３２ａと下ハウジング３２ｂとの間に挟み込まれて取り付けられている。また、ノズルヘッド３０の下面には、左右に細長く延びる吸塵口３５が設けられている。吸塵口３５は、下ハウジング３２ｂの左右両側部に跨る範囲に設けられている。吸塵口３５から吸塵された埃等は、ヘッドハウジング３２内を経て接続管部３１に集塵され、さらに延長パイプ２０を経て本体部１０に集塵される。
【００３６】
ノズルヘッド３０の下面には合計４個のローラ３４が支持されている。４個のローラ３４は、それぞれ下ハウジング３２ｂに回転自在に支持されている。図９に示すように前側の２個のローラ３４は、当該ノズルヘッド３０の左右側部寄りに配置されている。後ろ側の２個のローラ３４は、支持凹部３３ａの左右両側に配置されている。このため、前側のローラ３４間の間隔は、後ろ側のローラ３４間の間隔よりも大きくなっている。
【００３７】
前側のローラ３４の後ろ側に吸塵口３５が配置されている。前側のローラ３４間には、第１の起毛処理部３６が配置されている。吸塵口３５の後ろ側には、第２の起毛処理部３７が配置されている。第１及び第２の起毛処理部３６，３７は、それぞれ片面に起毛処理（若しくはパイル地処理）を施した帯材を下ハウジング３２ｂに貼り付けて取り付けられている。図５及び図７に示すように前側の第１の起毛処理部３６は、その上端縁側をバンパ３８と下ハウジング３２ｂの間に挟み込んで取り付けられている。また、後ろ側の第２の起毛処理部３７の左右両端部３７ａも、上ハウジング３２ａと下ハウジング３２ｂとの間に挟み込んで取り付けられている。第１の起毛処理部３６と第２の起毛処理部３７の端縁部を他部材間に挟み込んで固定することにより、両起毛処理部３６，３７が外れにくくなっている。
【００３８】
図５及び図７に示すように第１及び第２の起毛処理部３６，３７は，床面Ｆとの間に一定の隙間が発生する状態に取り付けられている。このため、床面Ｆを掃除する際には、第１及び第２の起毛処理部３６，３７は床面Ｆに接触しない。第１及び第２の起毛処理部３６，３７は、埃を絡め採る刷毛（ブラシ）として機能するもので、図１０に示すように床面Ｆ上に敷いた絨毯Ｃを掃除する場合に絨毯Ｃの伏せ毛に絡まった埃等を絡め採る機能を有している。ノズルヘッド３０を絨毯Ｃ上を移動させる際には、ローラ３４が沈み込んで第１及び第２の起毛処理部３６，３７が絨毯Ｃに接触する。第１及び第２の起毛処理部３６，３７を接触させつつノズルヘッド３０を移動させることにより、第１及び第２の起毛処理部３６，３７が絨毯Ｃの起毛に絡まりあって埃等を絡み取ることができる。
【００３９】
本実施形態の場合、吸塵口３５の前側と後ろ側の双方に起毛処理部３６，３７が設けられている。このため、ノズルヘッド３０を前進させる場合と後退させる場合の双方について絨毯Ｃの埃を絡め採って効率よく吸塵口３５から吸塵することができる。
【００４０】
第２の起毛処理部３６の後ろ側に沿ってゴム製のリップ部４０が配置されている。リップ部４０は、下ハウジング３２ｂのほぼ左右両端に跨る長さを有している。図５，７，９に示すようにリップ部４０は、断面三角形の溝部４１の底部（上部）に沿って取り付けられている。溝部４１の底部には、係合溝４１ａが設けられている。リップ部４０は、その上端縁部を係合溝４１ａ内に弾性力を利用して嵌めこんで取り付けられている。
【００４１】
リップ部４０は、溝部４１の底部から床面Ｆに接触する長さで下方へ張り出している。リップ部４０を床面Ｆに接触させながらノズルヘッド３０を移動させることにより、床面Ｆ上のゴミがリップ部４０により掻き集められて吸塵口３５から効率よく吸塵される。リップ部４０は、断面三角形の溝部４１内に取り付けられていることにより、前側及び後ろ側へ大きく撓むことができるように配置されている。このため、図１０に示すように絨毯Ｃ上を掃除する場合には、リップ部４０は絨毯Ｃの起毛で押し上げられて溝部４１内において前側若しくは後ろ側へ大きく湾曲（弾性変形）し、これにより第１及び第２の起毛処理部３６，３７が絨毯Ｃに十分に押し当てられるようになっている。
【００４２】
以上のように構成したハンディクリーナ１によれば、本体部１０の後面上部に左右一対の滑り止め部５が設けられている。図１に示すようにノズルヘッド３０を床面Ｆ上に設置させ、本体部１０の後面を壁面Ｗに当接させて当該ハンディクリーナ１を壁面Ｗに立て掛けた状態では、この左右一対の滑り止め部５が壁面Ｗに当接される。このため、樹脂製の本体ハウジング１３が直接壁面Ｗに当接される場合に比して、当該本体部１０の壁面Ｗに対する摩擦抵抗（移動抵抗）が大きくなって当該本体部１０の左右方向（壁面Ｗに沿った方向）の移動がより規制された状態となる。このことから、ハンディクリーナ１はより安定して倒れにくい状態で壁面Ｗへ立て掛けておくことができる。このように、別途専用のスタンド等を用いることなく、壁面Ｗに安定した状態で立て掛けておくことができ、この点で当該ハンディクリーナ１の使い勝手をより高めることができる。
【００４３】
また、本実施形態のハンディクリーナ１によれば、図１に示すように延長パイプ２０がほぼ垂直に起立した起立位置に位置する立て掛け状態では、図４，５に示すように接続管部３１の係合凸部２１ａが係合凹部２１ｂ内に進入して、延長パイプ２０の左右方向への倒れが規制され、これにより本体部１０の左右方向（壁面Ｗに沿った方向）への移動が規制された状態となる。上記したように本体部１０の左右方向への移動が規制されることにより、当該ハンディクリーナ１の立て掛け状態が安定することから、係合凸部２１ａが係合凹部２１ｂ内に進入することによっても当該ハンディクリーナ１の壁面Ｗへの立て掛け状態がより安定する。
【００４４】
さらに、本実施形態のハンディクリーナ１によれば、ノズルヘッド３０の下面に、第１及び第２の起毛処理部３６，３７が設けられている。この起毛処理部３６，３７によれば、例えば絨毯の掃除を行う場合に伏せ毛に絡まった埃等を効率よく吸塵することができ、当該ハンディクリーナ１の使い勝手を一層高めることができる。しかも、本実施形態によれば、吸塵口３５の前側に第１の起毛処理部３６が設けられ、後ろ側に第２の起毛処理部３７が設けられているので、ノズルヘッド３０を前進させる場合及び後退させる場合の双方について絨毯等の埃が効率よく絡め取られて吸塵される。
【００４５】
また、本実施形態によれば、第１及び第２の起毛処理部３６，３７が、その端縁部若しくは端部をヘッドハウジング３２の上ハウジング３２ａと下ハウジング３２ｂとの間に挟み込んで取り付けた構成とされている。これにより、当該第１及び第２の起毛処理部３６，３７の取り付け構造及び組み付け工程を簡略化することができる。
【００４６】
以上説明した実施形態には種々変更を加えることができる。例えば、左右一対の滑り止め部５を例示したが、一つあるいは３つ以上の滑り止め部を設けてもよく、左右方向に長い帯状の滑り止め部を本体部１０の下面上部に取り付ける構成としてもよい。
【００４７】
また、滑り止め部はエラストマゴム製に限らず、その他の摩擦抵抗の高い部材に代えてもよい。また、本体ハウジング１３の下面上部であって壁面Ｗに対する当接部位に多数の係合突起を一体に成形して、壁面Ｗに対する左右方向の摩擦抵抗を高めるための滑り止め部としてもよい。また、滑り止め部５は、本体部１０の平置き時には床面Ｆに接地して脚部としても機能する構成を例示したが、平置き時には床面Ｆに接地せず、壁面Ｗに立て掛けた状態でのみ壁面Ｗに当接する構成としてもよい。
【００４８】
さらに、ハンディクリーナ１を壁面Ｗに立て掛ける場合について説明したが、壁面Ｗに類似する部位、例えば棚や作業台の側部あるいは屋外において柵や金網に立て掛ける場合についてもこれらに滑り止め部５を当接させることにより同様の作用効果を得ることができる。
【００４９】
また、本体部１０に設けた滑り止め部５と、係合凸部２１ａの係合凹部２１ｂとの係合状態（首振り規制部２１）の双方により、ハンディクリーナ１の立て掛け状態を安定化させる構成を例示したが、何れか一方を省略してもよい。また、床面Ｆに接触させるリップ部４０は省略してもよい。
【００５０】
さらに、バッテリパック１９をバッテリ取り付け凹み部１５に収容したまま充電アダプタを接続して充電する形態のハンディクリーナ１を例示したが、本体部から取り外して別途用意した充電器で充電するタイプのバッテリパックを電源とするハンディクリーナについても同様に適用することができる。この場合バッテリパックには、充電式ねじ締め機や切断機等その他の形態のコードレス電動工具の電源として用いられる汎用性の高いものを用いることができる。
【００５１】
また、この場合バッテリパックには、ハンドル部１２の後面に沿ってスライドさせることにより取り付け、取り外しするスライド取り付け形式で、バッテリ取り付け凹み部１５にほぼ露出状態で取り付けられる例えば１８Ｖ出力のリチウムイオンバッテリを用いることができる。スライド取り付け形式のバッテリパックが露出状態でバッテリ取り付け凹み部に取り付けられる構成の場合、当該バッテリパックの下面（平置き状態で下面）に壁面Ｗに対する当接部位に滑り止め部を設けることができる。この場合、バッテリの下面全面に滑り止め部を配置してもよく、上部や下部等の一部について滑り止め部を配置するようにしてもよい。
【符号の説明】
【００５２】
１…ハンディクリーナ
Ｗ…壁面、Ｆ…床面、Ｃ…絨毯
２…電動モータ
３…吸塵ファン
４…ダストパック
５…滑り止め部
１０…本体部
１１…接続口
１２…ハンドル部
１３…本体ハウジング
１４…蓋部
１５…バッテリ取り付け凹み部
１６…バッテリカバー
１７…突起（エラストマゴム）
１８…排気口
１９…バッテリパック
２０…延長パイプ
２１…首振り規制部、２１ａ…係合凸部、２１ｂ…係合凹部
３０…ノズルヘッド
３１…接続管部
３１ａ…傾斜支持部、３１ｂ…ゴムリング
３２…ヘッドハウジング
３２ａ…上ハウジング、３２ｂ…下ハウジング
３３…首振り支持部、３３ａ…支持凹部
３４…ローラ
３５…吸塵口
３６…第１の起毛処理部
３７…第２の起毛処理部、３７ａ…端部
３８…バンパ
３９…固定ねじ
４０…リップ部
４１…溝部、４１ａ…係合溝
４２…リップ部
【図１】
2016039858.tif 000003
【図２】
2016039858.tif 000004
【図３】
2016039858.tif 000005
【図４】
2016039858.tif 000006
【図５】
2016039858.tif 000007
【図６】
2016039858.tif 000008
【図７】
2016039858.tif 000009
【図８】
2016039858.tif 000010
【図９】
2016039858.tif 000011
【図１０】
2016039858.tif 000012